(57)【要約】【課題】機械的強度が向上するとともに、従来より意匠上の観点が優れるスピーカネットがボックスの前面に設けられたスピーカ装置、及び該スピーカ装置を搭載した表示装置及び孔空き部材などを提供する。【解決手段】スピーカボックス１０の表面には、スピーカパネル２０、スピーカネット４０がこの順で配設されている。スピーカネット４０は、機械的強度が高い金属製であって、スピーカ１１，１２，１３を保護すべく設けられている。スピーカネット４０は、スピーカ１１，１２，１３の前面を含み、適宜ピッチの６０°千鳥パターンの丸孔群６１が設けられ、スピーカから放射される音波、及びバスレフポート１４から放射される低音域の音波を通過させる中央の領域と、突起部４０ａが設けられ、かつ丸孔群６１と比較して、孔密度が低いパターンの丸孔群６２が設けられた周縁の領域と、両領域間の領域であって、孔が存在しない領域とを有している。【選択図】図２
2007104195.tif 000002
【特許請求の範囲】
【請求項１】
前面に１又は複数のスピーカが設けられたボックスと、該ボックスを覆うスピーカネットとを備え、該スピーカネットの周縁領域に、前記ボックス側に折り曲げられた突起部を有し、前記突起部によって前記スピーカネットが前記ボックスに固定されているスピーカ装置において、
前記スピーカネットは、
中央領域に設けられ、所定パターンを構成する孔群と、
前記突起部に設けられ、前記パターンとは異なるパターンの孔群と
を備え、
前記中央領域より外側で、前記周縁領域より内側の領域には、孔が存在しないこと
を特徴とするスピーカ装置。
【請求項２】
前記周縁領域に設けられた孔群の密度は、前記中央領域に設けられた孔群の密度より低いこと
を特徴とする請求項１に記載のスピーカ装置。
【請求項３】
請求項１又は請求項２に記載のスピーカ装置を搭載したことを特徴とする表示装置。
【請求項４】
中央領域に設けられた所定パターンを構成する孔群と、
周縁領域に設けられ、前記パターンとは異なるパターンの孔群とを備え、
前記中央領域より外側で、前記周縁領域より内側の領域には、孔が存在しないこと
を特徴とする孔空き部材。
【発明の詳細な説明】
【技術分野】
【０００１】
本発明は、スピーカネットに好適な孔空き部材、該孔空き部材がスピーカボックスの前面に設けられたスピーカ装置、及び該スピーカ装置を搭載した表示装置に関する。
【背景技術】
【０００２】
近年、ＬＣＤ、ＰＤＰ、有機／無機ＥＬ、ＳＥＤなど様々な薄型の表示装置が実用化されている。また、画面サイズを大型化した場合、ＣＲＴのように装置が大型になることがないので、一般家庭で映画を迫力ある大画面で鑑賞することが可能である。このような薄型の表示装置に搭載されるスピーカ装置には、小形スリム化及び高音質化が要求されている（例えば、特許文献１及び特許文献２参照。）。
【０００３】
図１０は従来のスピーカ装置の外観を示す斜視図である。
従来のスピーカ装置は、所定容積のスピーカボックス１１０に図示しないスピーカが配置され、スピーカボックス１１０の前面に、スピーカを保護すべく、金属のような機械的強度が高い材質からなり、網目形状のスピーカネット１４０が設けられている。スピーカネット１４０の左右周縁領域には、裏面側に折り曲げられた突起部１４０ａ，１４０ａ，…が形成されており、この突起部１４０ａによって、スピーカネット１４０のスピーカボックス１１０への固定がなされる。また、スピーカネット１４０の表面は、適宜ピッチの網目形状を有し、スピーカから放射される音波などを通過させる。
【０００４】
上述したように、スピーカネット１４０の表面は、スピーカから放射された音波へ影響を及ぼさないように、その形状に工夫が図られている。例えば、図１１に示すように、スピーカネット１４０の突起部１４０ａを含む一面に、適宜ピッチの６０°千鳥パターン（デルタ配列パターン）の丸孔群１４１が設けられている。
【特許文献１】特開２０００−３２４５８４号公報
【特許文献２】特開２０００−３０８１７０号公報
【発明の開示】
【発明が解決しようとする課題】
【０００５】
しかしながら、６０°千鳥パターンの丸孔群１４１は、スピーカから放射された音波の音圧低下を適度に抑制でき、意匠上の観点から好適であるが、突起部１４０ａにも６０°千鳥パターンの丸孔が設けられているため、突起部１４０ａの機械的強度が不足し、突起部周辺が切断される虞があった。
【０００６】
本発明は斯かる事情に鑑みてなされたものであり、前面に１又は複数のスピーカが設けられたボックスを覆うスピーカネットの中央領域に、所定パターンを構成する孔群を設け、また、スピーカネットの周縁領域に設けた突起部に、中央領域に設けられた孔群のパターンとは異なるパターンの孔群を設け、さらに、中央領域より外側、かつ周縁領域より内側の領域には、孔を設けない構成とすることにより、機械的強度が向上するとともに、外観のアクセントとなって意匠上の観点がさらに優れるスピーカネットに好適な孔空き部材、スピーカネットがボックスの前面に設けられたスピーカ装置、及び該スピーカ装置を搭載した表示装置の提供を目的とする。
【課題を解決するための手段】
【０００７】
本発明に係るスピーカ装置は、前面に１又は複数のスピーカが設けられたボックスと、該ボックスを覆うスピーカネットとを備え、該スピーカネットの周縁領域に、前記ボックス側に折り曲げられた突起部を有し、前記突起部によって前記スピーカネットが前記ボックスに固定されているスピーカ装置において、前記スピーカネットは、中央領域に設けられ、所定パターンを構成する孔群と、前記突起部に設けられ、前記パターンとは異なるパターンの孔群とを備え、前記中央領域より外側で、前記周縁領域より内側の領域には、孔が存在しないことを特徴とする。
【０００８】
本発明にあっては、前面に１又は複数のスピーカが設けられたボックスを覆うスピーカネットの周縁領域に、ボックス側に折り曲げられた突起部を設け、突起部によってスピーカネットをボックスに固定する。スピーカネットの中央領域には、スピーカから放射された音波を通過させる所定パターンを構成する孔群を設け、また、突起部には、中央領域に設けられた孔群とは異なるパターンの孔群を設ける。さらに、中央領域より外側、かつ周縁領域より内側の領域（中間領域）には、孔を設けない。これにより、スピーカの音圧を低下させることなく、突起部の機械的強度を従来より増大させることができる。突起部に設ける孔群の形状及び密度は、突起部を容易に裏面側に折り曲げられる程度に、かつ、容易に突起部が破断されない程度に、スピーカネットの材質及び外寸に応じて適宜決定する。また、スピーカの音圧に影響を及ぼさない中間領域には孔を設けないので、外観のアクセントとなって意匠上の観点が優れる。
【０００９】
本発明に係るスピーカ装置は、前記周縁領域に設けられた孔群の密度は、前記中央領域に設けられた孔群の密度より低いことを特徴とする。
【００１０】
本発明にあっては、スピーカネットの周縁領域に設けられた孔群の密度を、スピーカネットの中央領域に設けられた孔群の密度より低くする。これにより、中央領域及び周縁領域に同寸法の孔を設ける場合、周縁領域に設けられた孔群を構成する孔間の間隔が広がって機械的強度が増大する。
【００１１】
本発明に係る表示装置は、上述した各発明のスピーカ装置を搭載したことを特徴とする。
【００１２】
本発明にあっては、上述した各発明のいずれか１つのスピーカ装置を搭載していることから、スピーカの音圧に影響を及ぼすことなく、中央領域及び周縁領域の間の中間領域が外観のアクセントとなって意匠上の観点が優れる。
【００１３】
本発明に係る孔空き部材は、中央領域に設けられた所定パターンを構成する孔群と、周縁領域に設けられ、前記パターンとは異なるパターンの孔群とを備え、前記中央領域より外側で、前記周縁領域より内側の領域には、孔が存在しないことを特徴とする。
【００１４】
本発明にあっては、孔空き部材の中央領域に、所定パターンの孔群を設け、また、周縁領域に、中央領域に設けられた孔群のパターンとは異なるパターンの孔群を設ける。さらに、中央領域より外側、かつ周縁領域より内側の領域（中間領域）には、孔を設けない。この孔空き部材を金型でプレス加工することによって、上述したスピーカ装置に用いるスピーカネットを極めて簡単、かつ低コストで製造することができる。
【発明の効果】
【００１５】
本発明によれば、前面に１又は複数のスピーカが設けられたボックスを覆うスピーカネットの中央領域に、所定パターンを構成する孔群を設け、また、スピーカネットの周縁領域に設けた突起部に、中央領域に設けられた孔群のパターンとは異なるパターンの孔群を設け、さらに、中央領域より外側、かつ周縁領域より内側の領域（中間領域）に、孔を設けない構成としたので、突起部の機械的強度が向上するとともに、中間領域が外観のアクセントとなって意匠上の観点がさらに優れる。
【００１６】
本発明によれば、少なくとも、スピーカネットの周縁領域に設けられた孔群の密度を、スピーカネットの中央領域に設けられた孔群の密度より低くする構成としたので、中央領域及び周縁領域に同寸法の孔を設ける場合、周縁領域に設けられた孔群を構成する孔間の間隔を広げて機械的強度を容易に増大させることができる。
【００１７】
本発明によれば、中央領域に、所定パターンの孔群が設けられ、また、周縁領域に、中央領域に設けられた孔群のパターンとは異なるパターンの孔群が設けられ、さらに、中央領域より外側、かつ周縁領域より内側の領域（中間領域）には、孔が存在しない孔空き部材を予め用意しておき、この孔空き部材を金型でプレス加工することによって、上述したスピーカ装置に用いるスピーカネットを極めて簡単、かつ低コストで製造することができる等、優れた効果を奏する。
【発明を実施するための最良の形態】
【００１８】
以下、本発明をその実施の形態を示す図面に基づいて詳述する。
【００１９】
図１は本発明に係るスピーカ装置を搭載した液晶表示装置を示す斜視図である。
本発明に係る液晶表示装置は、背面側にバックライトが設けられた液晶パネル１が前面キャビネット２及び背面キャビネット３によって形成された空間内に配置されている。液晶パネル１は、液晶パネル１の外寸と適合する寸法を有する図示しない支持枠に固定されている。支持枠には、支持枠の上下に対向する２辺間を連結するように、上下方向に伸びる２本の支柱が固定され、支柱にスタンド４が取付けられている。また、前面キャビネット２の左右辺縁側には、本発明に係る縦長のスピーカ装置５，５が配設されている。
【００２０】
図２は本発明に係るスピーカ装置の構成を示す分解斜視図、図３は同平面図である。
本発明に係るスピーカ装置５は、スピーカボックス１０、スピーカパネル２０、スピーカネット４０を備えている。スピーカボックス１０の前面を形成するバッフル１０ａの略中央から下側にかけて、高音域用スピーカ（ツイーター）１１、中音域用スピーカ（スコーカー）１２、低音域用スピーカ（ウーファー）１３、及びバスレフポート１４が設けられている。スピーカ１１，１２，１３により再生された音波は、スピーカ１１，１２，１３の前方から放射されるとともに、低音域の音波はスピーカボックス１０によって音圧が向上され、バスレフポート１４から放射される。
【００２１】
また、スピーカボックス１０の表面には、スピーカパネル２０、スピーカネット４０がこの順で配設されている。スピーカパネル２０は数ｍｍ厚の縦長のプラスチック成形品であって、スピーカパネル２０の各スピーカ１１，１２，１３に対応する位置には放射状パターンが形成され、バスレフポート１４に対応する位置には貫通孔２０ａが形成されている。貫通孔２０ａがスピーカパネル２０の下側に形成されていることから、スピーカボックス１０の表面にスピーカパネル２０を取付けた後であっても、スピーカの上下を容易に把握することができ、スピーカ装置５の組立工程で上下を間違えるような組立ロスが発生することはない。
【００２２】
スピーカネット４０は、機械的強度が高い金属（例えばステンレス鋼）製であって、スピーカ１１，１２，１３を保護すべく設けられている。スピーカネット４０は、縦長の矩形状で、正面視でスピーカボックス１０及びスピーカパネル２０が隠れるように、スピーカボックス１０及びスピーカパネル２０の外寸より若干大きい外形を有する。
【００２３】
スピーカネット４０の左右周縁領域には裏面側に折り曲げられた突起部４０ａ，４０ａ，…が形成されている。突起部４０ａは、矩形状であって、左右それぞれに６つ設けられており、先端に爪が設けられている。そして、突起部４０ａの爪がスピーカボックス１０の側面に設けられた係合孔１０ｂに係合することで、スピーカボックス１０に固定されている。
【００２４】
図４は本発明に係るスピーカネットの平面図、図５は図４のＶ部の拡大図である。なお、図４及び図５においては、突起部４０ａを折り曲げる前の状態を示している。
スピーカネット４０は、大別して３つの領域（第１領域５１，第２領域５２，第３領域５３）から構成される。
【００２５】
中央の第１領域５１は、スピーカ１１，１２，１３の前面を含み、前面の略９０％の面積を占める。第１領域５１には、適宜ピッチの６０°千鳥パターン（横方向に適宜ピッチで配置された丸孔行を１行毎に半ピッチずらしたパターン）の丸孔群６１が設けられ、スピーカ１１，１２，１３から放射される音波、及びバスレフポート１４から放射される低音域の音波を通過させる。
【００２６】
周縁の第２領域５２は、突起部４０ａが設けられており、第２領域５２には、上述の６０°千鳥パターンの丸孔群６１と異なり、丸孔行を１行おきに欠落させたパターンの丸孔群６２が設けられている。つまり、突起部４０ａ（周縁領域）に設けた丸孔群６２の密度は、第１領域５１（中央領域）に設けた丸孔群６１の密度より低い。
【００２７】
第３領域５３は、第１領域５１，第２領域５２間の領域、すなわち、第１領域５１より外側、かつ第２領域５２より内側の領域であって、左右に１つずつ存在しており、第３領域５３には孔が存在しない。
【００２８】
次に、上述したスピーカ装置５に用いるスピーカネット４０の製造方法について説明する。図６は本発明に係るスピーカネットの製造方法を示す図である。
図中８０は、数ｍｍ厚の金属板であって、金属板８０の適宜の位置に予めプレス加工で丸孔群８１及び丸孔群８２，８２を設けておく。詳細には、丸孔群８１は金属板８０の中央領域に、丸孔群８２は金属板８０の左右の辺縁領域に設けておく。丸孔群８１，丸孔群８２を設けた領域の間には孔を意図的に設けないようにする。また、金属板８０はロール状になっており、１枚の金属板８０から複数のスピーカネット４０を製造すべく、ロール方向（金属板８０の長手方向）に丸孔群８１及び丸孔群８２を構成する丸孔が連続するようにしておく。
【００２９】
そして、適長分の金属板８０を引き出し、金型９０で金属板８０をプレス加工する。金型９０は、プレス加工後の金属板８０（図６：一点鎖線）がスピーカネット４０となるように予め設計されている。また、プレス加工後の丸孔群８１がスピーカネット４０の丸孔群６１に、プレス加工後の丸孔群８２がスピーカネット４０の丸孔群６２となるように、金型９０を金属板８０の適宜の位置にアライメントした後にプレス加工を行なう。そして、突起部４０ａを裏面側に略９０°折り曲げ、さらに突起部４０ａの先端をさらに略９０°折り曲げることで、極めて簡単に丸孔群６１及び丸孔群６２を有するスピーカネット４０を製造することができる。
【００３０】
本発明の主旨は、スピーカネット４０の第１領域５１に丸孔群６１を、第２領域５２に丸孔群６２を設けるとともに、第３領域５３には孔を設けない構成とすることにより、スピーカ１１，１２，１３の音圧を低下させることなく、第３領域５３に設けた突起部４０ａの機械的強度を従来より増大させることにある。
【００３１】
つまり、突起部４０ａを容易に裏面側に折り曲げられる程度に、かつ、容易に突起部４０ａが破断されない程度に、突起部４０ａに設ける丸孔群６２の形状及び密度を決定する。少なくとも、丸孔群６２の密度を、丸孔群６１の密度より低くすることで、従来のものと比較して機械的強度を増大させることができる。本例では、６０°千鳥パターンの丸孔群６１と比較して、丸孔群６２を構成する丸孔間の間隔を広げて機械的強度を増大させている。
【００３２】
また、スピーカ１１，１２，１３の音圧に影響を及ぼさない第３領域５３には孔を設けないので、第３領域５３が外観のアクセントとなって意匠上の観点に優れる。
【００３３】
なお、実施の形態では、第２領域５２、すなわち突起部４０ａに、第１領域５１に設けられた丸孔群６１とは異なるパターンの丸孔群６２が設けられた形態について説明したが、例えば、図７に示すように、突起部４１ａに横長の矩形孔６３，６３，…が縦方向に並置されたスピーカネット４１、また図８に示すように、突起部４２ａに矩形孔６３より大きな１つの矩形孔６４が設けられたスピーカネット４２であっても、同様の効果が生じ、第２領域５２に設ける孔の形状及び密度について限定されるものではない。
【００３４】
また、図９に示すように、スピーカネット４０の内側に布ネット３０が設けられた構造の場合にも本発明を適用できる。布ネット３０は、スピーカネット４０からスピーカ装置の内部が透けて見えるのを防止するためのものであり、黒色又は茶色のような濃色系の布材からなるとともに、スピーカネット４０のピッチより狭ピッチの網目形状を有する。
【００３５】
布ネット３０は、スピーカネット４０及びスピーカパネル２０の間隙にフリー状態で配置されていることから、スピーカパネル２０に設けられた貫通孔２０ａに、柔軟性（伸縮性）を有する繊維状の三次元構造の骨格組織を有するフィルタ材より成るスペーサ５０を嵌挿することが好ましい。スペーサ５０の伸張時の厚さは、貫通孔２０ａの高さより厚くなっており、このスペーサ５０を収縮した状態で貫通孔２０ａに嵌挿する。すると、スペーサ５０が伸張し、スペーサ５０が布ネット３０をスピーカネット４０に押圧する状態となる。なお、スペーサ５０としては、例えば、ポリウレタンフォームを特殊加工し、膜状物質を完全に除去したものであって、空孔率が９７％以上の三次元構造の骨格組織化されたエバーライトＳＦ（（株）ブリジストン製）を用いることができる。
【００３６】
このように、スペーサ５０は、当該部分の布ネット３０をスピーカネット４０に押圧することにより、バスレフポート１４を通じて放射した音波による空気圧が、布ネット３０を振動させることを緩和するものであり、振動した布ネット３０がスピーカネット４０を叩くことを防止してビビリ音の発生を防止することができる。
【００３７】
さらに、本発明のスピーカ装置の適用例として液晶表示装置に搭載された形態について説明したが、これら形態に限定されるものではなく、本発明のスピーカ装置は、ＰＤＰ、有機／無機ＥＬ、ＳＥＤなどの表示装置に適用できることは言うまでもなく、また、他の電気機器一般に適用することができる。
【図面の簡単な説明】
【００３８】
【図１】本発明に係るスピーカ装置を搭載した液晶表示装置を示す斜視図である。
【図２】本発明に係るスピーカ装置の構成を示す分解斜視図である。
【図３】本発明に係るスピーカ装置の構成を示す平面図である。
【図４】本発明に係るスピーカネットの平面図である。
【図５】図４のＶ部の拡大図である。
【図６】本発明に係るスピーカネットの製造方法を示す図である。
【図７】本発明に係るスピーカネットの他の要部拡大平面図である。
【図８】本発明に係るスピーカネットの他の要部拡大平面図である。
【図９】発明に係るスピーカ装置の他の構成を示す分解斜視図である。
【図１０】従来のスピーカ装置の外観を示す斜視図である。
【図１１】従来のスピーカ装置に用いるスピーカネットの平面図である。
【符号の説明】
【００３９】
５  スピーカ装置
１０  スピーカボックス
１０ａ  バッフル
１１  高音域用スピーカ（ツイーター）
１２  中音域用スピーカ（スコーカー）
１３  低音域用スピーカ（ウーファー）
１４  バスレフポート
２０  スピーカパネル
３０  布ネット
４０，４１，４２  スピーカネット
５０  スペーサ
５１  第１領域
５２  第２領域
５３  第３領域
６１，６２  丸孔群
６３，６４  矩形孔
【図１】
2007104195.tif 000003
【図２】
2007104195.tif 000004
【図３】
2007104195.tif 000005
【図４】
2007104195.tif 000006
【図５】
2007104195.tif 000007
【図６】
2007104195.tif 000008
【図７】
2007104195.tif 000009
【図８】
2007104195.tif 000010
【図９】
2007104195.tif 000011
【図１０】
2007104195.tif 000012
【図１１】
2007104195.tif 000013